(57)【要約】  本発明は、ユーザの意識を特定の要素のリンク先に対して向かわせることを目的とする。本発明では、Ｗｅｂサーバが送信するＷｅｂページにスクリプト（オブジェクト制御プログラム）を組み込み、ユーザ端末に実行させる。なお、当該Ｗｅｂページには、リンク要素（他のＷｅｂページへのリンクが設定されている要素）が複数配置されているものとする。オブジェクト制御方法を実行するコンピュータ端末は、複数のリンク要素を含むＷｅｂページ内で、いくつかのリンク要素の前面に当該各リンク要素の全面を遮蔽する表示サイズのオブジェクトを配置した上で、当該オブジェクトの表示サイズを徐々に縮小していく。これにより、当該リンク要素が徐々にディスプレイ上に出現する。
2011080983.tif 000002
【特許請求の範囲】
【請求項１】
他のＷｅｂページへのリンクが設定されているリンク要素を含むＷｅｂページを表示するコンピュータ端末に、
前記リンク要素の位置を特定する位置特定ステップと、
前記特定した位置の前面に前記リンク要素の前面の少なくとも一部を覆うサイズのオブジェクトを配置するオブジェクト配置ステップと、
前記オブジェクトのサイズを変更するサイズ変更ステップと
を実行させることを特徴とするオブジェクト制御方法。
【請求項２】
請求項１に記載のオブジェクト制御方法において、
前記オブジェクトは前記リンク要素のクリックをできなくしている
ことを特徴とするオブジェクト制御方法。
【請求項３】
請求項１又は２に記載のオブジェクト制御方法において、
前記コンピュータ端末に前記サイズ変更ステップを複数回繰り返させる
ことを特徴とするオブジェクト制御方法。
【請求項４】
請求項３に記載のオブジェクト制御方法において、
前記サイズ変更ステップは、前記オブジェクトの表示サイズを拡縮するステップである
ことを特徴とするオブジェクト制御方法。
【請求項５】
請求項４に記載のオブジェクト制御方法において、
前記位置特定ステップは、前記リンク要素の上位置を少なくとも特定するステップであり、
前記オブジェクト配置ステップは、前記特定した上位置に前記オブジェクトの上位置を合わせて固定配置するステップであり、
前記サイズ変更ステップは、前記オブジェクトの縦幅を縮小するステップである
ことを特徴とするオブジェクト制御方法。
【請求項６】
請求項１〜５のいずれかに記載のオブジェクト制御方法において、
前記Ｗｅｂページは、前記リンク要素を複数含んでおり、
前記位置特定ステップは、前記各リンク要素の位置を特定するステップであり、
前記オブジェクト配置ステップは、前記特定した各位置の前面にそれぞれオブジェクトを配置するステップであり、
前記サイズ変更ステップは、前記各オブジェクトのサイズをそれぞれ変更するステップである
ことを特徴とするオブジェクト制御方法。
【請求項７】
請求項６に記載のオブジェクト制御方法において、
前記サイズ変更ステップは、前記各オブジェクトの中から選択した１又は複数のオブジェクトのサイズをそれぞれ変更するステップである
ことを特徴とするオブジェクト制御方法。
【請求項８】
請求項７に記載のオブジェクト制御方法において、
前記サイズ変更ステップは、優先度データを参照し、前記各オブジェクトの中から優先度に応じて選択した１又は複数のオブジェクトのサイズをそれぞれ変更するステップである
ことを特徴とするオブジェクト制御方法。
【請求項９】
請求項７に記載のオブジェクト制御方法において、
前記サイズ変更ステップは、現在又は過去の前記各リンク要素の統計的データに基いて、複数のリンク要素の中から少なくとも１つのリンク要素について、当該リンク要素の前面に配置した前記オブジェクトのサイズを変更する
ことを特徴とするオブジェクト制御方法。
【請求項１０】
請求項１〜３のいずれかに記載のオブジェクト制御方法において、
前記サイズ変更ステップは、前記オブジェクトをサイズの異なる他のオブジェクトに置換するステップである
ことを特徴とするオブジェクト制御方法。
【請求項１１】
他のＷｅｂページへのリンクが設定されているリンク要素を含むＷｅｂページを表示するコンピュータ端末に、
前記リンク要素の位置を特定する位置特定ステップと、
前記特定した位置の前面に前記リンク要素の前面の少なくとも一部を覆うサイズのオブジェクトを配置するオブジェクト配置ステップと、
前記オブジェクトのサイズを変更するサイズ変更ステップと
を実行させることを特徴とするオブジェクト制御プログラム。
【請求項１２】
ユーザ端末と接続可能なＷｅｂサーバであって、
他のＷｅｂページへのリンクが設定されているリンク要素を含むＷｅｂページのデータと、該Ｗｅｂページに組み込まれた請求項１１に記載のオブジェクト制御プログラムとを少なくとも含むＷｅｂデータを記憶しているＷｅｂデータ記憶手段を有し、
前記ユーザ端末からの要求に応じて、前記Ｗｅｂデータを該ユーザ端末に送信するＷｅｂデータ送信手段を備える
ことを特徴とするＷｅｂサーバ。
【発明の詳細な説明】
【技術分野】
【０００１】
本発明は、Ｗｅｂページ内にオブジェクトを表示する仕組みに関し、特に、特定の要素の前面に表示させたオブジェクトを制御する処理に関するものである。
【背景技術】
【０００２】
＜先行技術１＞
Ｗｅｂページ内に表示させたオブジェクトを制御するためのプログラムがある（特許文献１参照）。具体的には、他のＷｅｂページへのリンクが設定されているリンク要素を含むＷｅｂページ内で、当該リンク要素の前面に当該リンク要素のクリックを妨害する複数のアイコンを表示した上で、当該Ｗｅｂページ内でアイコンに対するユーザ操作を検出したとき、当該アイコンを変位させ又は消去する。なお、先行技術１の内容は、この出願の出願時点で未公開である。
【先行技術文献】
【特許文献】
【０００３】
【特許文献１】特願２００９−２４９２３８号明細書
【発明の概要】
【発明が解決しようとする課題】
【０００４】
Ｗｅｂページには、他のＷｅｂページへのリンクが設定されている要素（例えば、画像，テキスト，ボタン等）が配置されることが多い。リンクの設定により任意のＷｅｂページ同士を直接的に結びつけることが可能である点は、Ｗｅｂシステムの本質といえる。一方、リンクが設定されている要素は、常に視認可能かつクリック可能な状態でページ内に配置されているのが普通である。そのため、特にページ内に多数の要素が配置されている場合、各要素のリンク先に対するユーザの興味・関心は希釈化されやすい。【０００５】
本発明の目的は、ユーザの意識を特定の要素のリンク先に対して向かわせることができるオブジェクト制御方法を提供することである。
本発明の他の目的は、リンクが設定されている要素の前面に、クリックを妨害するオブジェクトを重畳的に表示するオブジェクト制御方法を提供することである。
本発明のさらに他の目的は、前記オブジェクトのサイズを変位させるオブジェクト制御方法を提供することである。
本発明のさらに他の目的は、複数のリンク要素のアクセスを検出して、複数のリンク要素のうちの少なくとも１つのリンク要素へのアクセス集中を回避させるオブジェクト制御方法を提供することである。
【課題を解決するための手段】
【０００６】
上記課題を解決するため、本発明のオブジェクト制御方法は、他のＷｅｂページへのリンクが設定されているリンク要素を含むＷｅｂページを表示するコンピュータ端末に、前記リンク要素の位置を特定する位置特定ステップと、前記特定した位置の前面に前記リンク要素の前面の少なくとも一部を覆うサイズのオブジェクトを配置するオブジェクト配置ステップと、前記オブジェクトのサイズを変更するサイズ変更ステップとを実行することを特徴とする。【０００７】
前記オブジェクトは前記リンク要素をクリックできなくしているとよい。
前記コンピュータ端末に前記サイズ変更ステップを複数回繰り返させるとよい。
前記サイズ変更ステップは、前記オブジェクトの表示サイズを縮小するステップであってもよい。【０００８】
前記位置特定ステップは、前記リンク要素の上位置を少なくとも特定するステップであり、前記オブジェクト配置ステップは、前記特定した上位置に前記オブジェクトの上位置を合わせて固定配置するステップであり、前記サイズ変更ステップは、前記オブジェクトの縦幅を縮小するステップであってもよい。【０００９】
前記Ｗｅｂページは、前記リンク要素を複数含んでおり、前記位置特定ステップは、前記各リンク要素の位置を特定するステップであり、前記オブジェクト配置ステップは、前記特定した各位置の前面にそれぞれオブジェクトを配置するステップであり、前記サイズ変更ステップは、前記各オブジェクトのサイズをそれぞれ変更するステップであってもよい。【００１０】
前記サイズ変更ステップは、前記各オブジェクトの中から選択した１又は複数のオブジェクトのサイズをそれぞれ変更するステップであってもよい。
前記サイズ変更ステップは、優先度データを参照し、前記各オブジェクトの中から優先度に応じて選択した１又は複数のオブジェクトのサイズをそれぞれ変更するステップであってもよい。【００１１】
前記サイズ変更ステップは、現在又は過去の前記各リンク要素の統計的データに基いて、複数のリンク要素の中から少なくとも１つのリンク要素について、当該リンク要素の前面に配置した前記オブジェクトのサイズを変更するステップであってもよい。【００１２】
前記サイズ変更ステップは、前記オブジェクトをサイズの異なる他のオブジェクトに置換するステップであってもよい。【００１３】
また、上記課題を解決するため、本発明のオブジェクト制御プログラムは、他のＷｅｂページへのリンクが設定されているリンク要素を含むＷｅｂページを表示するコンピュータ端末が、前記リンク要素の位置を特定する位置特定ステップと、前記特定した位置の前面に前記リンク要素の前面の少なくとも一部を覆うサイズのオブジェクトを配置するオブジェクト配置ステップと、前記オブジェクトのサイズを変更するサイズ変更ステップとを実行させることを特徴とする。【００１４】
また、上記課題を解決するため、本発明は、ユーザ端末と接続可能なＷｅｂサーバであって、他のＷｅｂページへのリンクが設定されているリンク要素を含むＷｅｂページのデータと、該Ｗｅｂページに組み込まれた上記のオブジェクト制御プログラムとを少なくとも含むＷｅｂデータを記憶しているＷｅｂデータ記憶手段を有し、前記ユーザ端末からの要求に応じて、前記Ｗｅｂデータを該ユーザ端末に送信するＷｅｂデータ送信手段を備えることを特徴とする。
【発明の効果】
【００１５】
本発明のオブジェクト制御プログラムを読み込んだコンピュータ端末は、他のＷｅｂページへのリンクが設定されているリンク要素を含むＷｅｂページ内で、当該リンク要素の位置を特定し、当該特定した位置の前面に当該リンク要素の前面の少なくとも一部を覆うサイズのオブジェクトを配置した上で、当該オブジェクトのサイズを変更する。【００１６】
例えば、リンク要素の前面に当該リンク要素の全面を遮蔽するオブジェクトを配置した上で、当該オブジェクトのサイズを徐々に縮小していけば、当該リンク要素が徐々にディスプレイ上に出現する。逆に、リンク要素の前面に当該リンク要素の一部を遮蔽するオブジェクトを配置した上で、当該オブジェクトのサイズを徐々に拡大していけば、当該リンク要素が徐々にディスプレイから消える。【００１７】
本発明では、リンク要素は商店街又はショッピングモールを具現化し、オブジェクトは店舗又はショップの建物の一部（シャッター，ドア等）を具現化している。特定のリンク要素の前面に配置したオブジェクトのサイズを変更することにより、特定の店舗又はショップの開店時・閉店時の様子がＷｅｂページ上で表現される。例えば、特定のリンク要素の全面を遮蔽しているオブジェクトのサイズを徐々に縮小させることにより、特定の店舗又はショップのシャッター，ドア等が開く様子がＷｅｂページ上で表現される。【００１８】
これらの結果として、特定のリンク要素に対するユーザの注目を集め、ユーザの意識を当該リンク要素のリンク先に対して向かわせることができる。
クリックを妨害するオブジェクトによって、リンク要素へのアクセスが制限されて、ユーザの購入意欲を刺激する効果を期待できる。また、複数のリンク要素のうち一部のリンク要素へのアクセスを制限して、残余のリンク要素にアクセスを振り分けることができるので、一部のリンク要素を処理するサーバ負荷を軽減して、サーバ全体の負荷を均等化することができる。
【図面の簡単な説明】
【００１９】
【図１】システム構成を示すブロック図である。（実施形態）
【図２】オブジェクト制御プログラムの実行手順を示すフロー図である。（実施形態）
【図３】初期化処理の手順を示すフロー図である。（実施形態）
【図４】表示切替処理の手順を示すフロー図である。（実施形態）
【図５】サイズ変更処理の手順を示すフロー図である。（実施形態１）
【図６】Ｗｅｂページの表示例である。（実施形態１）
【図７】Ｗｅｂページの表示例である。（実施形態１）
【図８】Ｗｅｂページの表示例である。（実施形態１）
【図９】Ｗｅｂページの表示例である。（実施形態１）
【図１０】サイズ変更処理の手順を示すフロー図である。（実施形態２）
【図１１】Ｗｅｂページの表示例である。（実施形態２）
【図１２】Ｗｅｂページの表示例である。（実施形態２）
【図１３】Ｗｅｂページの表示例である。（実施形態２）
【図１４】Ｗｅｂページの表示例である。（実施形態２）
【図１５】サイズ変更処理の手順を示すフロー図である。（変形例１）
【図１６】サイズ変更処理の手順を示すフロー図である。（変形例２）
【発明を実施するための形態】
【００２０】
＜定義＞
・要素…Ｗｅｂページ内に表示されるテキスト，画像，図形，ボタン等の総称。
・リンク要素…他のＷｅｂページへのリンクが設定されている要素。
・オブジェクト…Ｗｅｂページ上に表現することができるもの。以下の説明では、他のＷｅｂページへのリンクが設定されていない（クリックしてもページの遷移が発生しない）画像要素。
【００２１】
＜実施形態＞
［１．システム構成］
図１に、本実施形態のシステムの構成を示す。図１に示すように、本実施形態のシステムは、Ｗｅｂサーバ１０とユーザ端末２０とが通信ネットワーク（本実施形態では、インターネット３０）を介して接続されたクライアント・サーバシステムである。
【００２２】
Ｗｅｂサーバ１０は、Ｗｅｂページを構成する各種のデータ（ＨＴＭＬ及び当該ＨＴＭＬが参照する画像，スタイルシート，スクリプト等。以下、これらをまとめて「Ｗｅｂデータ」という。）を記憶しているＷｅｂＤＢ１１を有しており、ユーザ端末２０からの要求に応じ指定されたＷｅｂデータをユーザ端末２０に送信する。
【００２３】
また、Ｗｅｂサーバ１０は、ユーザの登録情報（住所、氏名、年齢、性別、メールアドレス。以下、これらをまとめて「ユーザ属性」という。）を記憶しているユーザＤＢ１２を有している。ユーザＤＢ１２はＷｅｂサーバ１０に、Ｗｅｂページを生成するための属性情報を提供する。
【００２４】
また、Ｗｅｂサーバ１０は、Ｗｅｂページごとの過去の利用履歴（年月日や曜日や時間ごとの閲覧回数、クリック率、及び、注文数）を記憶している利用履歴ＤＢ１３を有している。利用履歴ＤＢ１３はＷｅｂサーバ１０に、Ｗｅｂページを生成するための履歴情報を提供する。
【００２５】
ユーザ端末２０は、Ｗｅｂブラウザを有しており、Ｗｅｂサーバ１０から受信したＷｅｂデータを読み込み、ディスプレイに表示する。なお、当該Ｗｅｂブラウザは、スクリプト（例えば、Java(登録商標)Scriptで記載されたプログラム）の解釈・実行に対応しているものとし、解釈・実行の設定がオンになっているものとする。ユーザ端末２０は、通信機能を有する既存の情報処理端末（例えば、パソコン等の電子計算機等）でよい。
【００２６】
［２．オブジェクト制御プログラム］
［（ａ）特徴］
本実施形態のシステムでは、Ｗｅｂサーバ１０が送信するＷｅｂページにスクリプト（オブジェクト制御プログラム）を組み込み、ユーザ端末２０に実行させる。なお、当該Ｗｅｂページには、リンク要素（他のＷｅｂページへのリンクが設定されている要素）が複数配置されているものとする。
【００２７】
オブジェクト制御プログラムを読み込んだコンピュータ端末は、複数のリンク要素を含むＷｅｂページ内で、いくつかのリンク要素の前面にオブジェクトを配置した上で、当該オブジェクトの表示サイズを徐々に変更する。例えば、コンピュータ端末は、リンク要素の前面にリンク要素の全面を遮蔽するオブジェクトを配置する。次いで、オブジェクトのサイズを徐々に縮小する。具体的には、オブジェクトの上辺を固定し、幅を変えることなく、縦幅を徐々に縮小する。こうすることにより、リンク可能なリンク要素が徐々にディスプレイ上に出現する。
【００２８】
逆に、リンク要素の前面に当該リンク要素の一部を遮蔽するオブジェクトを配置する。具体的には、リンク要素の上辺に、僅かな縦幅のオブジェクトを配置する。次いで、オブジェクトのサイズを徐々に拡大する。具体的には、オブジェクトの上辺を固定し、幅を変えることなく、縦幅を徐々に拡大する。こうすることにより、リンク可能なリンク要素が徐々にディスプレイから消える。
【００２９】
複数のリンク要素を含むＷｅｂページ内で、リンク要素の前面に表示するオブジェクトは、互いに独立してサイズを変更することが好ましい。
【００３０】
リンク要素に対応する現在又は過去の各種のアクセスデータ・統計的データ（例えば、閲覧回数（ＰＶ），クリック率（ＣＴＲ），注文数等）によって、そのリンク要素の前面に配置するオブジェクトのサイズを変更する。例えば、１つのリンク要素において現在のアクセス数が他のリンク要素の現在のアクセス数より大きい場合は、その１つのリンク要素の前面に配置するオブジェクトのサイズを、他のリンク要素の前面に配置するオブジェクトのサイズより大きくする。また、例えば、１つのリンク要素において過去のアクセス数が他のリンク要素の同時刻の過去のアクセス数より小さい場合は、その１つのリンク要素の前面に配置するオブジェクトのサイズを、他のリンク要素の前面に配置するオブジェクトのサイズより小さくする。
【００３１】
さらに、現在のサーバ負荷に応じて、アクセスさせたいリンク要素、アクセスさせたくないリンク要素を認識する。アクセスさせたいリンク要素については、リンク要素の前面のオブジェクトのサイズを小さくしてリンク要素のクリックが容易となるように表示する。アクセスさせたくないリンク要素については、リンク要素の前面のオブジェクトのサイズを大きくしてリンク要素のクリックが困難となるように表示する。
【００３２】
リンク要素の選定には、現在のアクセスデータを利用したり、一定周期遡ったときの一定の期間の過去データを利用したり、現在のサーバ負荷を利用したりする。いずれの場合においても、閾値を設定し、その閾値を基準に要素を選定すればよい。
【００３３】
（実施形態１）いくつかのリンク要素の前面に当該各リンク要素の全面を遮蔽する表示サイズのオブジェクトを配置した上で、当該オブジェクトの表示サイズを徐々に縮小していく。これにより、当該リンク要素が徐々にディスプレイ上に出現する。
【００３４】
（実施形態２）いくつかのリンク要素の前面に適当な表示サイズのオブジェクトを配置した上で、当該オブジェクトの表示サイズを徐々に拡大し当該リンク要素の全面を遮蔽する。これにより、当該リンク要素が徐々にディスプレイ上から消失する。
【００３５】
Ｗｅｂページにおいて、リンク要素は商店街又はショッピングモールを具現化し、オブジェクトは店舗又はショップの建物の一部（シャッター，ドア等）を具現化している。特定のリンク要素の前面に配置したオブジェクトの表示サイズを変更することにより、特定の店舗又はショップの開店時・閉店時の様子がＷｅｂページ上で表現される。例えば、特定のリンク要素の全面を遮蔽しているオブジェクトの表示サイズを徐々に縮小させることにより、特定の店舗又はショップのシャッター，ドア等が開く様子がＷｅｂページ上で表現される。
【００３６】
これらの結果として、当該リンク要素に対するユーザの注目を集め、ユーザの意識を特定のリンク要素のリンク先に対して向かわせることができる。また、オブジェクトを他のＷｅｂページへのリンクが設定されていない（クリックしてもページの遷移が発生しない）画像とし、リンク要素の前面に重畳的に配置することにより、視覚的にも機能的に遮蔽効果を実現することができる。
【００３７】
［（ｂ）実行手順］
図２に、本実施形態のシステムにおけるオブジェクト制御プログラムの実行手順を示す。
〔１１〕ユーザ端末２０は、Ｗｅｂサーバ１０に対しＵＲＬを指定してＷｅｂページを要求する（Ｓ２０５ａ）。Ｗｅｂサーバ１０は、ユーザ端末２０からＷｅｂページの要求を受信する（Ｓ２０５ｂ）と、指定されたＵＲＬに対応するＨＴＭＬデータをＷｅｂＤＢ１１より抽出し（Ｓ２１０ｂ）、必要に応じて、ユーザＤＢ１２及び利用履歴ＤＢ１３を参照し、ユーザ端末２０に送信する（Ｓ２１５ｂ）。ユーザ端末２０は、Ｗｅｂサーバ１０からＨＴＭＬデータを受信し（Ｓ２１５ａ）、ディスプレイにＷｅｂページを表示する（Ｓ２２０ａ）。
【００３８】
〔１２〕ユーザ端末２０は、Ｗｅｂサーバ１０に対しＵＲＬを指定してＨＴＭＬデータ内の参照データを要求する（Ｓ２２５ａ）。Ｗｅｂサーバ１０は、ユーザ端末２０から参照データの要求を受信する（Ｓ２２５ｂ）と、指定されたＵＲＬに対応する参照データをＷｅｂＤＢ１１より抽出し（Ｓ２３０ｂ）、必要に応じて、ユーザＤＢ１２及び利用履歴ＤＢ１３を参照し、ユーザ端末２０に送信する（Ｓ２３５ｂ）。ユーザ端末２０は、Ｗｅｂサーバ１０から参照データを受信する（Ｓ２３５ａ）と、当該参照データを読み込み（Ｓ２４０ａ）、必要に応じて表示中のＷｅｂページに反映させる。
【００３９】
〔１３〕ユーザ端末２０は、Ｗｅｂページ（参照データを含む）のロードが完了したか否かを判定する（Ｓ２４５ａ）。ロードが完了していなければ（Ｓ２４５ａでＮｏ）、上記〔１２〕に戻り、他の参照データをさらに取得する。一方、ロードが完了していれば（Ｓ２４５ａでＹｅｓ）、下記〔１４〕に進み、スクリプト（オブジェクト制御プログラム）の実行を開始する。
〔１４〕初期化処理（Ｓ２５０ａ、図３）及び表示切替処理（Ｓ２５５ａ、図４）を実行する。また、所定の時間ごと（例えば、１００ミリ秒ごと）に表示切替処理を繰り返し実行する。
【００４０】
［３．初期化処理］
［（ａ）初期化処理の手順］
図３に、初期化処理の手順を示す。ここでは、所定数（本実施形態では、９個）のリンク要素の前面に、それぞれオブジェクト（画像要素）を配置する手順を例示する。Ｗｅｂページ中の特定のリンク要素には、それぞれ連番の数値を含む識別子（id）が予め付されているものとする。
【００４１】
図３に示すように、ユーザ端末２０は、下記〔２１〕〜〔２５〕の手順により、初期化処理を実行する。なお、以下の説明では、ｉ番目のリンク要素（ｉを含む識別子が付されたリンク要素）を、リンク要素［ｉ］と表す。また、リンク要素［ｉ］の前面に配置されるオブジェクトを、オブジェクト［ｉ］と表す。
【００４２】
〔２１〕リンク要素又はオブジェクトの番号を示すカウンタｉに、初期値１を代入する（Ｓ３０５）。
〔２２〕リンク要素［ｉ］の位置・大きさを取得する（Ｓ３１０）。
〔２３〕オブジェクト［ｉ］を生成し（Ｓ３１５）、その属性を調整する（Ｓ３２０）。
〔２４〕オブジェクト［ｉ］をＷｅｂページ内の所定位置に配置する（Ｓ３２５）。例えば、上記〔２３〕で生成したオブジェクト［ｉ］（<img>要素）を、ＨＴＭＬデータの<body>の子要素に追加する。
〔２５〕カウンタｉが所定数（本実施形態では、９）に等しいか否かを判定する（Ｓ３３０）。カウンタｉが所定数に等しいとき（Ｓ３３０でＹｅｓ）、初期化処理を終了する。一方、カウンタｉが所定数に等しくないとき（Ｓ３３０でＮｏ）、カウンタｉに１を加算し（Ｓ３３５）、上記〔２２〕に戻る。
【００４３】
［（ｂ）属性の調整について］
上記手順〔２２〕において、ユーザ端末２０は、リンク要素［ｉ］の位置・大きさを取得する（Ｓ３１０）。また、上記手順〔２３〕において、ユーザ端末２０は、オブジェクト［ｉ］の属性を調整する（Ｓ３２０）。
【００４４】
各実施形態における具体的な手順は、次のとおりである。
（実施形態１）リンク要素［ｉ］の左上位置のピクセル座標，横幅及び縦幅を特定する。その上で、オブジェクト［ｉ］の左上位置のピクセル座標，横幅，縦幅を、それぞれオブジェクト［ｉ］の左上位置のピクセル座標，横幅，縦幅に設定する。
【００４５】
（実施形態２）リンク要素［ｉ］の左上位置のピクセル座標及び横幅を少なくとも特定する。その上で、オブジェクト［ｉ］の左上位置のピクセル座標，横幅を、それぞれオブジェクト［ｉ］の左上位置のピクセル座標，横幅に設定する。また、オブジェクト［ｉ］の縦幅を所定の値（例えば、１０ピクセル，０ピクセル）に設定する。
【００４６】
なお、上記の手順は、オブジェクトの上位置を固定し、表示サイズを上下方向のみに縮小／拡大することを想定している。
【００４７】
オブジェクト［ｉ］の属性は、リンク要素［ｉ］の属性，オブジェクト［ｉ］の固定位置及び縮小／拡大の方向に応じて、適宜設定するとよい。
【００４８】
例えば、次のような設定の態様がある。
・オブジェクトの左位置を固定し、表示サイズを左右方向に縮小／拡大する場合には、例えばオブジェクト［ｉ］の左上又は左下位置，縦幅，横幅等を設定する。
・オブジェクトの右位置を固定し、表示サイズを左右方向に縮小／拡大する場合には、例えばオブジェクト［ｉ］の右上又は右下位置，縦幅，横幅等を設定する。
また、オブジェクトの上又は下，左又は右２方向の位置を固定し、表示サイズを上下及び左右の２方向に縮小／拡大することもできる。
【００４９】
［４．表示切替処理］
［４−１．表示切替処理の概要］
［（ａ）表示切替処理の手順］
図４に、表示切替処理の手順を示す。上述のように、表示切替処理は、所定の時間ごと（例えば、１００ミリ秒ごと）に繰り返し実行するように設定されている（図２のＳ２５５ａ参照）。なお、以下の説明では、ｉ番目のリンク要素（ｉを含む識別子が付されたリンク要素）を、リンク要素［ｉ］と表す。また、リンク要素［ｉ］の前面に配置されるオブジェクトを、オブジェクト［ｉ］と表す。
【００５０】
〔３１〕サイズ変更処理の対象とするオブジェクトを選択し、その番号を変数ｊに代入する（Ｓ４０５）。
〔３２〕選択したオブジェクトを対象として、サイズ変更処理を実行する（Ｓ４１０）。実施形態１におけるサイズ変更処理の手順を、図５に示す。また、実施形態２におけるサイズ変更処理の手順を、図１０に示す。
【００５１】
［（ｂ）対象オブジェクトの選択について］
上記手順〔３１〕において、ユーザ端末２０は、サイズ変更処理の対象とするオブジェクトを選択し、その番号を変数ｊに代入する（Ｓ４０５）。対象のオブジェクトは、次のように選択するとよい。
・識別子（id）の番号順に順次選択する。
・ランダムに選択する。例えば、所定範囲内の乱数値を生成し、当該乱数値に応じて対象のオブジェクトを選択する。
・優先度に応じて選択する。例えば、Ｗｅｂサーバ１０から参照データとして各リンク要素の優先度を記載した優先度データ（例えば、ＪＳＯＮ形式のファイル）を受信しておき（図２のＳ２２５ａ〜Ｓ２３５ａ）、対応するリンク要素の優先度の高さ又はその逆数に比例する確率によりオブジェクトを選択する。選択の処理には、乱数を利用するとよい。
【００５２】
なお、複数のオブジェクトを選択し、選択した各オブジェクトをサイズ変更処理の対象としてもよい。例えば、上記優先度データを参照し、オブジェクトごとに、対応するリンク要素の優先度の高さに応じて選択するか否かを決定してもよい。
【００５３】
［（ｃ）優先度データについて］
優先度データには、リンク要素（リンク要素の識別子（id））ごとに優先度を数値で記憶しておくものとする。優先度の値は、例えば次のような観点で設定しておくとよい。
・ユーザ属性（性別・年齢層）に応じて設定する。例えば、ユーザ端末２０を使用するユーザが認証済みであれば、当該ユーザと同一の属性を有するユーザからの人気（例えば、リンク先の閲覧率，リンク先を介した商品注文率等）が高いリンク要素の優先度を高く設定する。
・サーバ負荷に応じて設定する。例えば、リンク先のページを管理するサーバの負荷の高いリンク要素の優先度を低く設定する。
・任意に設定する。例えば、多くのユーザに注目させたいリンク要素の優先度を高く設定する。
【００５４】
［４−２．実施形態１のサイズ変更処理］
［（ａ）サイズ変更処理の手順］
図５に、ユーザ端末２０によるサイズ変更処理の手順を示す。
〔４１〕変数ａに、表示サイズの縮小量（ピクセル数）を代入する（Ｓ５０５）。
〔４２〕変数ｂに、オブジェクト［ｊ］の現在の縦幅（ピクセル数）を代入する（Ｓ５１０）。
〔４３〕判定式「（ｂ−ａ）＞０」の真偽を判定する（Ｓ５１５）。判定式が真のとき（Ｓ５１５でＹｅｓ）、オブジェクト［ｊ］の縦幅を（ｂ−ａ）に変更する（Ｓ５２０）。一方、判定式が偽のとき（Ｓ５１５でＮｏ）、何もしない。
【００５５】
［（ｂ）表示例］
図６〜図９に、Ｗｅｂページの表示例を示す。実施形態１では、いくつかのリンク要素の前面に当該各リンク要素の全面を遮蔽する表示サイズのオブジェクトを配置した上で、当該オブジェクトの表示サイズを徐々に縮小していく。図６〜図９は、リンク要素が徐々にディスプレイ上に出現する様子を示す表示例である。
【００５６】
（図６）Ｗｅｂページ（６００）において、オブジェクト（６１０ａ）は、リンク要素（図７〜図９の６１０ｂ）の前面に配置され、当該リンク要素の全面を遮蔽している。他のオブジェクトについても同様である。
【００５７】
（図７）オブジェクト（６１０ａ）の表示サイズ（縦幅）が縮小され、リンク要素（６１０ｂ）の一部がディスプレイ上に出現した。他のオブジェクト及びリンク要素についても同様である。
【００５８】
（図８）オブジェクト（６１０ａ）の表示サイズ（縦幅）がさらに縮小され、リンク要素（６１０ｂ）の大部分がディスプレイ上に出現した。他のオブジェクト及びリンク要素についても同様である。
【００５９】
（図９）オブジェクト（６１０ａ）の表示サイズ（縦幅）がさらに縮小され、リンク要素（６１０ｂ）のほぼ全面がディスプレイ上に出現した。他のオブジェクト及びリンク要素についても同様である。
【００６０】
［（ｃ）効果］
これらの表示例からも分かるように、リンク要素の前面に当該リンク要素の全面を遮蔽する表示サイズのオブジェクト（図６〜図９の表示例では、シャッターを模した画像）を配置した上で、当該オブジェクトの上位置を固定し、表示サイズ（縦幅）を徐々に縮小していくことにより、特定の店舗又はショップのシャッターが開く様子がＷｅｂページ上で表現される。これにより、当該リンク要素に対するユーザの注目を集め、ユーザの意識を特定のリンク要素のリンク先に対して向かわせることができる。
【００６１】
［（ｄ）その他］
図６〜図９には、次のような付加的な構成も表現されている。
・各リンク要素の周辺にヒトを模した画像（ヒト画像）を配置している（図６の６２０等）。これにより、ショップの前でユーザが行列を形成している様子が連想される。当該ヒト画像は、所定のタイミングで消去するとよい。
・上記ヒト画像を、道路を模した画像中の所定の位置を出発点とし、所定の経路（Ｗｅｂページ内の隙間）を移動させた上で、いずれかのリンクの周辺に配置している（図７の６３０，図８の６４０等）。これにより、行列が拡大していく様子が連想される。
・上記のヒト画像は、ユーザの属性（性別・年齢層等）を反映した色彩・形状をしている。また、各ヒト画像の移動先は、各リンク先に係る統計データ（ユーザ属性ごとの閲覧数，商品注文数等）に応じて決定されている。これにより、ユーザ属性ごとのリンク先の人気の度合いが、視覚的に表現される。
【００６２】
［４−３．実施形態２のサイズ変更処理］
［（ａ）サイズ変更処理の手順］
図１０に、ユーザ端末２０によるサイズ変更処理の手順を示す。
〔５１〕変数ａに、表示サイズの拡大量（ピクセル数）を代入する（Ｓ１００５）。
〔５２〕変数ｂに、オブジェクト［ｊ］の現在の縦幅（ピクセル数）を代入する（Ｓ１０１０）。
〔５３〕変数ｃに、リンク要素［ｊ］の縦幅（ピクセル数）を代入する（Ｓ１０１５）。
〔５４〕判定式「（ａ＋ｂ）＜ｃ」の真偽を判定する（Ｓ１０２０）。判定式が真のとき（Ｓ１０２０でＹｅｓ）、オブジェクト［ｊ］の縦幅を（ａ＋ｂ）に変更する（Ｓ１０２５）。一方、判定式が偽のとき（Ｓ１０２０でＮｏ）、オブジェクト［ｊ］の縦幅をｃに変更する（Ｓ１０３０）。このとき、オブジェクト［ｊ］の参照先画像を所定の画像に変更するとよい。
【００６３】
［（ｂ）表示例］
図１１〜図１４に、Ｗｅｂページの表示例を示す。実施形態２では、いくつかのリンク要素の前面に適当な表示サイズ（リンク要素の全面を遮蔽しない所定の表示サイズ）のオブジェクトを配置した上で、当該オブジェクトの表示サイズを徐々に拡大していき当該リンク要素の全面を遮蔽する。図１１〜図１４は、リンク要素が徐々にディスプレイ上から消失する様子を示す表示例である。
【００６４】
（図１１）Ｗｅｂページ（１１００）において、所定の表示サイズのオブジェクト（１１１０ａ）がリンク要素（１１１０ｂ）の前面に配置されている。他のオブジェクト及びリンク要素についても同様である。
【００６５】
（図１２）オブジェクト（１１１０ａ）の表示サイズ（縦幅）が拡大され、リンク要素（１１１０ｂ）の一部がディスプレイ上から消失した。他のオブジェクト及びリンク要素についても同様である。
【００６６】
（図１３）オブジェクト（１１１０ａ）の表示サイズ（縦幅）がさらに拡大され、リンク要素（１１１０ｂ）の大部分がディスプレイ上から消失した。他のオブジェクト及びリンク要素についても同様である。
【００６７】
（図１４）オブジェクト（１１１０ａ）の表示サイズ（縦幅）がさらに拡大され、リンク要素（１１１０ｂ）がディスプレイ上で完全に遮蔽された。他のオブジェクト及びリンク要素についても同様である。
【００６８】
［（ｃ）効果］
これらの表示例からも分かるように、リンク要素の前面に適当な表示サイズのオブジェクト（図１１〜図１４の表示例では、シャッターを模した画像）を配置した上で、当該オブジェクトの上位置を固定し、表示サイズ（縦幅）を徐々に拡大していくことにより、特定の店舗又はショップのシャッターが閉じる様子がＷｅｂページ上で表現される。これにより、当該リンク要素に対するユーザの注目を集め、ユーザの意識を特定のリンク要素のリンク先に対して向かわせることができる。さらに、当該リンク要素に対するクリック操作を促進する効果が期待できる。
【００６９】
［（ｄ）その他］
図１１〜図１４には、次のような付加的な構成も表現されている。
・各リンク要素の周辺にヒトを模した画像（ヒト画像）を配置している（図１１の１１２０等）。これにより、ショップの前でユーザが行列を形成している様子が連想される。当該ヒト画像は、所定のタイミングで消去するとよい。
・上記ヒト画像を、道路を模した画像中の所定の位置を出発点とし、所定の経路（Ｗｅｂページ内の隙間）を移動させた上で、いずれかのリンクの周辺に配置している（図１２の１１３０，図１３の１１４０等）。これにより、行列が拡大していく様子が連想される。
・上記のヒト画像は、ユーザの属性（性別・年齢層等）を反映した色彩・形状をしている。また、各ヒト画像の移動先は、各リンク先に係る統計データ（ユーザ属性ごとの閲覧数，商品注文数等）に応じて決定されている。これにより、ユーザ属性ごとのリンク先の人気の度合いが、視覚的に表現される。
【００７０】
［５．変形例等］
［５−１．１段階サイズの小さい他のオブジェクトに切り替える（変形例１）］
実施形態１では、オブジェクトのサイズの縮小処理において、表示サイズを縮小する手法を採用している（図５のＳ５２０）。これに対し、オブジェクトのサイズの縮小処理において、オブジェクトの参照先画像を１段階サイズの小さい他の画像（同種の画像，類似の画像等）に変更する手法を採用してもよい。ディスプレイ上の表示及び得られる効果は実施形態１と同様であるが、データ容量の点で表示サイズを変更する手法の方が好ましい。
【００７１】
図１５に、ユーザ端末２０によるサイズ変更処理の手順を示す。なお、図１５において、図５と同一の符号が付されている処理ステップは、同様の処理であるものとする。
〔６１〕変数ａに、表示サイズの縮小量（ピクセル数）を代入する（Ｓ５０５）。
〔６２〕変数ｂに、オブジェクト［ｊ］の現在の縦幅（ピクセル数）を代入する（Ｓ５１０）。
〔６３〕判定式「（ｂ−ａ）＞０」の真偽を判定する（Ｓ５１５）。判定式が真のとき（Ｓ５１５でＹｅｓ）、オブジェクト［ｊ］の参照先画像を１段階小さいものに変更する（Ｓ１５２０）。一方、判定式が偽のとき（Ｓ５１５でＮｏ）、何もしない。
【００７２】
［５−２．１段階サイズの大きい他のオブジェクトに切り替える（変形例２）］
実施形態２では、オブジェクトのサイズの拡大処理において、表示サイズを拡大する手法を採用している（図１０のＳ１０２５）。これに対し、オブジェクトのサイズの拡大処理において、オブジェクトの参照先画像を１段階サイズの大きい他の画像（同種の画像，類似の画像等）に変更する手法を採用してもよい。ディスプレイ上の表示及び得られる効果は実施形態２と同様であるが、データ容量の点で表示サイズを変更する手法の方が好ましい。
【００７３】
図１６に、ユーザ端末２０によるサイズ変更処理の手順を示す。なお、図１６において、図１０と同一の符号が付されている処理ステップは、同様の処理であるものとする。
〔７１〕変数ａに、表示サイズの拡大量（ピクセル数）を代入する（Ｓ１００５）。
〔７２〕変数ｂに、オブジェクト［ｊ］の現在の縦幅（ピクセル数）を代入する（Ｓ１０１０）。
〔７３〕変数ｃに、リンク要素［ｊ］の縦幅（ピクセル数）を代入する（Ｓ１０１５）。
〔７４〕判定式「（ａ＋ｂ）＜ｃ」の真偽を判定する（Ｓ１０２０）。判定式が真のとき（Ｓ１０２０でＹｅｓ）、オブジェクト［ｊ］の参照先画像を１段階大きいものに変更する（Ｓ１６２５）。一方、判定式が偽のとき（Ｓ１０２０でＮｏ）、オブジェクト［ｊ］の参照先画像をリンク要素［ｊ］を遮蔽するサイズの所定画像に変更する（Ｓ１６３０）。
【００７４】
［５−３．１つのリンク要素の前面に複数のオブジェクトを配置する（変形例３）］
実施形態１及び２では、１つのリンク要素の前面に１つのオブジェクトを配置している（図３のＳ３１０〜Ｓ３２５）。サイズ変更処理の対象は、当該１つのオブジェクトである。これに対し、１つのリンク要素の前面に複数のオブジェクトを配置することも可能である。
【００７５】
例えば、次のように各オブジェクトの属性を調整し、サイズ変更処理を実行すれば、中心線により２つに分割された２つのオブジェクト（画像）が、上下方向に縮小する様子をＷｅｂページ上で表現することができる。
・リンク要素［ｉ］の左上位置及び右上位置の各ピクセル座標，横幅及び縦幅を特定する。
・オブジェクト［ｉ］［１］の左上位置のピクセル座標，横幅，縦幅を、それぞれオブジェクト［ｉ］の左上位置のピクセル座標，横幅の１／２，縦幅に設定する。
・オブジェクト［ｉ］［２］の右上位置のピクセル座標，横幅，縦幅を、それぞれオブジェクト［ｉ］の右上位置のピクセル座標，横幅の１／２，縦幅に設定する。
・オブジェクト［ｉ］［１］及びオブジェクト［ｉ］［２］の縦幅を縮小する。
【００７６】
例えば、次のように各オブジェクトの属性を調整し、サイズ変更処理を実行すれば、２つのオブジェクト（画像）が、中心線を対称軸として左右方向に縮小する様子をＷｅｂページ上で表現することができる。
・リンク要素［ｉ］の左上位置及び右上位置の各ピクセル座標，横幅及び縦幅を特定する。
・オブジェクト［ｉ］［１］の左上位置のピクセル座標，横幅，縦幅を、それぞれオブジェクト［ｉ］の左上位置のピクセル座標，横幅の１／２，縦幅に設定する。
・オブジェクト［ｉ］［２］の右上位置のピクセル座標，横幅，縦幅を、それぞれオブジェクト［ｉ］の右上位置のピクセル座標，横幅の１／２，縦幅に設定する。
・オブジェクト［ｉ］［１］及びオブジェクト［ｉ］［２］の横幅を縮小する。
【００７７】
［５−４．その他］
縮小量や拡大量に在庫の概念を採用してもよい。リンク要素のリンク先が商品販売ページ，サービス提供ページ等のＥＣサイトのＷｅｂページである場合、当該ページを介して販売されている商品又は提供されているサービスの在庫数に連動して縮小アクションや拡大アクションを行うように構成することができる。例えば、「リンク要素のサイズ＝入荷数」とした上で、「オブジェクトのサイズ＝販売数＝入荷数−在庫数」とすれば、サイト上で在庫を動的に表現することができる。
【符号の説明】
【００７８】
１０…Ｗｅｂサーバ、  １１…ＷｅｂＤＢ、  ２０…ユーザ端末、  ３０…インターネット、  ６００…Ｗｅｂページ、  １１００…Ｗｅｂページ。
【図１】
2011080983.tif 000003
【図２】
2011080983.tif 000004
【図３】
2011080983.tif 000005
【図４】
2011080983.tif 000006
【図５】
2011080983.tif 000007
【図１０】
2011080983.tif 000008
【図１５】
2011080983.tif 000009
【図１６】
2011080983.tif 000010
【図６】
2011080983.tif 000011
【図７】
2011080983.tif 000012
【図８】
2011080983.tif 000013
【図９】
2011080983.tif 000014
【図１１】
2011080983.tif 000015
【図１２】
2011080983.tif 000016
【図１３】
2011080983.tif 000017
【図１４】
2011080983.tif 000018
【国際調査報告】
2011080983.tif 000019
2011080983.tif 000020